(57)【要約】【課題】施工現場又はその周辺で得られる間伐材及び掘削発生土砂を活用して、施工性にすぐれており、構造安定性が高く、低コストの自然環境保全に適した擁壁構造物を提供する。【解決手段】補強土擁壁１９を構成する複数の盛土構造体４の夫々は、Ｌ型の壁面材と、複数本の間伐材１０と、複数本の間伐材１０を互いに連結する連結材２１と、敷網材１４、１４’と、盛土９とを備え、複数本の間伐材１０は、その長手方向を水平方向に向けて上下千鳥状に横置きされ間伐材壁２０を構成し、上下方向に立設された連結材２１で壁面材の前面折返部を挟着するようにして固定具を間伐材１０に打ち込んで互いに結合している。【選択図】図４
0003111278.tif 000002
【実用新案登録請求の範囲】
【請求項１】
底面地盤上に積み重ねられた複数段の盛土構造体と、該盛土構造体の前面に沿って設けられた複数本の間伐材と、該複数本の間伐材を互いに結合する複数の連結材とを備えた補強土擁壁であって、
上記盛土構造体のうち最下段の盛土構造体は、上記底面地盤の上面に設置され底面部と前面折返部とから成るＬ型の壁面材と、背後掘削面、上記底面地盤の上面、上記前面折返部の背面及び盛土上面に沿って敷設される敷網材と、該敷網材で形成された空間に充填され突き固められた盛土と、該盛土に打設された控え杭とを備えており、
上記盛土構造体のうち２段目以上の盛土構造体は、夫々下位の盛土上面に沿って敷設される敷網材と連結され、上記背後掘削面、上記間伐材の背面及び盛土上面に沿って敷設される敷網材と、該敷網材で形成された空間に充填され突き固められた盛土と、該盛土に打設された控え杭とを備えており、
上記壁面材の底面部と前面折返部とは、互いに斜めタイ材で結合されており、
上記間伐材は、複数本立設して並べられて間伐材壁を構成しており、
上記複数の連結材は、上下方向に間隔をおいて水平に置かれ、上記複数本の間伐材の背面側に当接されて固定具で上記複数本の間伐材に固定され、上記複数本の間伐材を互いに結合しており、
上記控え杭は、上記連結材にワイヤ又は鉄筋を介して連結されていることを特徴とする補強土擁壁。
【請求項２】
上記連結材は山形鋼であることを特徴とする請求項１記載の補強土擁壁。
【請求項３】
底面地盤上に積み重ねられた複数段の盛土構造体と、該盛土構造体の前面に沿って設けられた複数本の間伐材と、該複数本の間伐材を互いに結合する複数の連結材とを備えた補強土擁壁であって、
上記盛土構造体のうち最下段の盛土構造体は、上記底面地盤の上面に設置され底面部と前面折返部とから成るＬ型の壁面材と、背後掘削面、上記底面地盤の上面、上記前面折返部の背面及び盛土上面に沿って敷設される敷網材と、該敷網材で形成された空間に充填され突き固められた盛土と、該盛土に打設された控え杭とを備えており、
上記盛土構造体のうち２段目以上の盛土構造体は、夫々下位の盛土上面に沿って敷設される敷網材と連結され、上記背後掘削面、上記間伐材の背面及び盛土上面に沿って敷設される敷網材と、該敷網材で形成された空間に充填され突き固められた盛土と、該盛土に打設された控え杭とを備えており、
上記壁面材の底面部と前面折返部とは、互いに斜めタイ材で結合されており、
上記複数本の間伐材は、水平に配置されて間伐材壁を構成しており、
上記複数の連結材は、横方向に間隔を置いて縦置きされ、上記複数本の間伐材の背面側に固定具で固定され、上記複数本の間伐材を互いに結合しており、
上記控え杭は、上記連結材にワイヤ又は鉄筋を介して連結されていることを特徴とする補強土擁壁。
【請求項４】
上記連結材は、互いに背合わせで固定されて成る一対の山形鋼であることを特徴とする請求項３記載の補強土擁壁。
【請求項５】
上記複数本の間伐材は、上下方向に互いに隣接する間伐材が交互に長手方向にずれて並べられており、該上下方向に互いに隣接する間伐材が長手方向で重なる部分で上記連結材が固定されていることを特徴とする請求項３又は４記載の補強土擁壁。
【考案の詳細な説明】
【技術分野】
【０００１】
本考案は、山間地等の道路擁壁等に適用されるに関し、特に、施工性にすぐれ、構造安定性が高く、低コストの自然環境保全に適した補強土擁壁に関する。
【背景技術】
【０００２】
山間地等において、その景観を損なわず、しかも大きな強度を有し、安定性にすぐれた補強土擁壁が、道路擁壁や治山用の擁壁等に適用されるものとして求められている。補強土擁壁を構築する場所は、山間地等で資材の調達や運搬に不便な場所が多く、従来の工業資材を利用した構造物では、その資材調達だけでなく、その運搬にも費用、手間がかかる。又、擁壁構造物を構築する際に、山腹の傾斜地盤等を掘削した際に発生する土砂の処理、運搬等の問題も生じる。又、工場製品を主体とした擁壁構造物は、自然景観との同化という点では好ましくない。
【０００３】
一方、治山治水事業においては、山林の健全な維持の為に、間伐することが重要であり、これにより生じる間伐材をいろいろな分野で有効利用することが探られている。しかしながら、木は腐りやすいために本格的な建設資材としては敬遠されており、抜本的回生策はいまだ確立されていない。
【０００４】
このような背景において、本考案者は、前面及び背面の敷網材と、多段に配置した水平敷網材によって構成する偏平な篭内に土砂を詰め込んで外部拘束する補強土擁壁と、この補強土擁壁を構築するための、腰の支えの役目をするとともに、補強土擁壁の構築後も紫外線から上記前面敷網材を守る役目をする間伐材壁とによって相互補完的に構成されている補強土擁壁をすでに提案している（特許文献１参照）
【特許文献１】特開２００１−３１１１７２
【考案の開示】
【考案が解決しようとする課題】
【０００５】
上記特許文献に示す従来の補強土擁壁は、施工のために手間のかかる構造がいくつかある。例えば、壁面材である間伐材を保持する縦材は、水平の敷網材（ジオグリッド）に装着した鉄筋にターンバックルで取り付ける構成を採用し、又、間伐材を保持するためにクランプの基端を縦材に装着して先端を間伐材に打ち込んで取り付ける等の構成を採用している。
【０００６】
本考案は、このような従来の補強土擁壁の施工のために手間のかかる構造を簡単な構造とし、施工が簡単で、資材を現地で調達でき、必要な部品点数の少ない、しかも自然の景観を損ねない構造の補強土擁壁を実現することを課題とする。
【課題を解決するための手段】
【０００７】
本考案は上記課題を解決するために、底面地盤上に積み重ねられた複数段の盛土構造体と、該盛土構造体の前面に沿って設けられた複数本の間伐材と、該複数本の間伐材を互いに結合する複数の連結材とを備えた補強土擁壁であって、上記盛土構造体のうち最下段の盛土構造体は、上記底面地盤の上面に設置され底面部と前面折返部とから成るＬ型の壁面材と、背後掘削面、上記底面地盤の上面、上記前面折返部の背面及び盛土上面に沿って敷設される敷網材と、該敷網材で形成された空間に充填され突き固められた盛土と、該盛土に打設された控え杭とを備えており、上記盛土構造体のうち２段目以上の盛土構造体は、夫々下位の盛土上面に沿って敷設される敷網材と連結され、上記背後掘削面、上記間伐材の背面及び盛土上面に沿って敷設される敷網材と、該敷網材で形成された空間に充填され突き固められた盛土と、該盛土に打設された控え杭とを備えており、上記壁面材の底面部と前面折返部とは、互いに斜めタイ材で結合されており、上記間伐材は、複数本立設して並べられて間伐材壁を構成しており、上記複数の連結材は、上下方向に間隔をおいて水平に置かれ、上記複数本の間伐材の背面側に当接されて固定具で上記複数本の間伐材に固定され、上記複数本の間伐材を互いに結合しており、上記控え杭は、上記連結材にワイヤ又は鉄筋を介して連結されていることを特徴とする補強土擁壁を提供する。
【０００８】
上記連結材は山形鋼を利用することが好ましい。
【０００９】
本考案は上記課題を解決するために、底面地盤上に積み重ねられた複数段の盛土構造体と、該盛土構造体の前面に沿って設けられた複数本の間伐材と、該複数本の間伐材を互いに結合する複数の連結材とを備えた補強土擁壁であって、上記盛土構造体のうち最下段の盛土構造体は、上記底面地盤の上面に設置され底面部と前面折返部とから成るＬ型の壁面材と、背後掘削面、上記底面地盤の上面、上記前面折返部の背面及び盛土上面に沿って敷設される敷網材と、該敷網材で形成された空間に充填され突き固められた盛土と、該盛土に打設された控え杭とを備えており、上記盛土構造体のうち２段目以上の盛土構造体は、夫々下位の盛土上面に沿って敷設される敷網材と連結され、上記背後掘削面、上記間伐材の背面及び盛土上面に沿って敷設される敷網材と、該敷網材で形成された空間に充填され突き固められた盛土と、該盛土に打設された控え杭とを備えており、上記壁面材の底面部と前面折返部とは、互いに斜めタイ材で結合されており、上記複数本の間伐材は、水平に配置されて間伐材壁を構成しており、上記複数の連結材は、横方向に間隔を置いて縦置きされ、上記複数本の間伐材の背面側に固定具で固定され、上記複数本の間伐材を互いに結合しており、上記控え杭は、上記連結材にワイヤ又は鉄筋を介して連結されていることを特徴とする補強土擁壁を提供する。
【００１０】
上記連結材は、互いに背合わせで固定されて成る一対の山形鋼であることが好ましい。
【００１１】
上記水平に配置された複数本の間伐材は、上下方向に互いに隣接する間伐材が交互に長手方向にずれて並べられており、該上下方向に互いに隣接する間伐材が長手方向で重なる部分で上記連結材が固定されていることをが好ましい。
【考案の効果】
【００１２】
以上のような構成の本考案に係る補強土擁壁によれば、次のような効果を奏する。
（１）本考案では、盛土に控え杭を打ち込み、これにワイヤ又は鉄筋を介して間伐材を山側に支持するような構造としたので、施工は簡単であり、控え杭として木材を利用すれば資材を現地調達するこが可能となる。又、間伐材を連結材として利用する山形鋼にコーチスクリューによって互いに連結し固定できる構造としたので、この点でも施工が簡単となる。
【００１３】
（２）間伐材壁を間伐材で構成したので、施工する現地の地場産の間伐材（生木から加工材まで）を活用することができる。従って、資材を現地調達可能であり山間部への工事資材の調達、運搬の手間が省かれ、間伐材の有効活用ができるから、コスト低減となり、工事現場から生じる残土の自前の処理ができ、その経済的効果は極めて大きく、又、林野事業、環境整備事業等への貢献も大である。
【００１４】
（３）間伐材壁の間伐材が朽ち果てても、壁面材及び敷網材で拘束され、植生マットで盛土壁面での自然緑化が進行し、周辺の自然と同化することができる。工業生産品を利用しないので、ＣＯ２の削減にも役立つ。
【００１５】
（４）壁面は、敷網材で盛土を巻き込むとともに、間伐材壁を壁面支保工としているので、間伐材壁の背後の盛土の土圧に対する大きな強度を有し、さらに、柔軟な土砂補強用の敷網材とともに相互補完的に作用し、粘り強い、外部拘束型の極めて強度及び安定性の大きい盛土構造を有する補強土擁壁が実現できる。
【考案を実施するための最良の形態】
【００１６】
本考案に係る補強土擁壁の実施の形態を実施例に基づいて図面を参照して説明する。
【００１７】
（実施例１）
図１〜４は、本考案に係る補強土擁壁の実施例１を説明する図である。図１は、本考案に係る補強土擁壁の実施例１の全体構造を説明する図である。この補強土擁壁１は、例えば、道路擁壁、治山ダム、砂防ダム、あるいは柵工等の各種の擁壁に適用されるものであり、背後掘削面２の前方、且つ底面地盤３上に、盛土構造体４が複数段積み重ねられて構成される。
【００１８】
図２及び図３は、図１の補強土擁壁１の一段の盛土構造体４の構造を詳細に示す図である。図２（ａ）及びその要部拡大図である図２（ｂ）に示すように、底面地盤３の谷側（図２（ａ）の左側）の部分の上に、壁面材５（最下段壁面ユニット）が設置されている。壁面材５は、底面部６と、この底面部６の前端から上方に折り返された前面折返部７とを有し、全体として断面略Ｌ型である。
【００１９】
壁面材５は、適宜寸法（例えば、横幅が２００ｃｍ、縦幅が６０ｃｍ程度）で形成され、補強土擁壁１の全体の横幅（補強土擁壁１を前方から見た場合の左右方向の横幅。）に応じて、１又は２以上設置されている。壁面材５は、剛性のあるエキスパンドメタルや金網等が利用される。
【００２０】
底面部６と前面折返部７との間に、斜めタイ材８が架設されている。この斜めタイ材８は、鋼材やプラスチック材等で成形された長細い板（例．型鋼）や棒（例．棒鋼）、或いはターンバックル等が利用される。壁面材５は、斜めタイ材８を架設して補強することにより、盛土９により土圧がかかっても、Ｌ型の形状を保てることができる。
【００２１】
壁面材５の前面折返部７の前面に当接するように、複数本の間伐材１０から成る間伐材壁１１が構築されている。この間伐材壁１１は、補強土擁壁１の各段における盛土構造体４を施工する際には、盛土９を詰め込む型枠及び盛土９を支える腰の役目をするとともに、盛土構造体４を支持する壁面支保工としての機能を有する。
【００２２】
この実施例１では、複数本の間伐材１０は、夫々が前面折返部７に沿って底面地盤３に対して上下方向に向けて縦置きされ、補強土擁壁１の横幅方向に並べられている。
【００２３】
縦置きされた複数本の間伐材１０は、これらの間伐材１０の裏面側に配置された連結材１２（腹起こし材）で互いに結合される。連結材１２は、図３（ａ）に示すように、複数本の間伐材１０にわたって補強土擁壁１の横幅方向に伸びるように水平に配置されている。そして、複数の連結材１２は、図２（ａ）、（ｂ）及び図３（ａ）に示すように、間伐材１０の上下方向に一定の間隔をおいて配置されるが、各段の盛土構造体４の盛土９のほぼ上面の高さに配置される。
【００２４】
連結材１２は、図２（ａ）、（ｂ）に示すように断面Ｌ型の山形鋼を使用する。この連結材１２には、固定具通し用の複数の孔が、長手方向に一定間隔（例．５０ｍｍ間隔）に形成されている。固定具１３として、コーチスクリュー（長い釘の先端部から１／３〜２／３程度がねじとなっている固定具。）を使用する。又は、図示はしないが、座金で山形鋼を押さえ、座金に通したコーチスクリューで山形鋼を固定する構成としてもよい。
【００２５】
そして、この連結材１２に形成された複数の孔を通して固定具１３（コーチスクリュー）を間伐材１０にねじ込んでから打ち込み、前面折返部７を複数本の間伐材１０との間に挟持し、連結材１２を複数本の間伐材１０に固定し、複数本の間伐材１０を互いに結合するとともに、前面折返部７を複数本の間伐材１０と固定する。
【００２６】
背後掘削面２及び底面地盤３には、敷網材１４（「ジオグリッド」ともいう。商品としては商品名「テンサー」がある。）がたるまないように密着して全体的に敷設され、適宜箇所で、とめピン等により固定されている。
【００２７】
敷網材１４は、背後掘削面２から底面地盤３にかけて敷設され、さらに、図２（ａ）、（ｂ）及び図３（ｂ）に示すように、底面地盤３の谷側端で、壁面材５の山側面に沿って上方に折り返され、この上方に折り返された敷網材１４の山側の面（背面）に沿って植生マット１５が配置される。
【００２８】
以上のような構成の敷網材１４によって囲まれたスペース内に、盛土用の土砂を詰め、転圧ローラ等を利用して締固めを行いながら、ほぼ鉛直に６０ｃｍ程度の高さまで盛土９を盛り立てる。
【００２９】
そして、谷川端で上方に折り返された敷網材１４を盛土９の前端において山側に折り返して盛土９上に敷設する。敷網材１４の背後掘削面２に沿って敷設された敷網材１４はやはり盛土９の山側端において谷川に折り返して盛土９上に敷設する。
【００３０】
このようにして、盛土９上において谷川及び山側から折り返された敷網材１４の折返し両端部を連結具１６で連結するように、盛土９上に別の敷網材１４’が敷設される。これにより、盛土構造体４は盛土９が袋状に詰め込まれた構造となる。
【００３１】
そして、図１、図２（ａ）に示すように、盛土構造体４の上方から控え杭１７（アンカー）を打ち込む。そして、連結材１２に一端を結着したワイヤ１８の他端を控え杭１７に取り付ける。これにより、連結材１２及び間伐材１０を山側に引っ張って支持することができ、強固な間伐材壁１１が構築される。なお、ワイヤ１８の代わりに鉄筋を使用してもよい。
【００３２】
このようにして構築された１段目（最下段）の盛土構造体４の上に、２段目以上の盛土構造体を順次積み重ねて構築することにより複数段の盛土構造体４を有する補強土擁壁１が構築される。
【００３３】
２段目以上の盛土構造体４は、夫々次のように構築される。下位の盛土４の上面に沿って敷設されている敷網材１４’に、山側では背後掘削面２に沿って上方に向けて敷設される敷網材１４が、谷側では間伐材１０の背面に沿って上方に向けて敷設される敷網材１４が、夫々連結具１６、１６によって、連結される。このようにして形成された下位の敷網材１４’、谷川及び山側の敷網材１４、１４で囲まれる空間に、当該２段目以上の盛土となる土砂が充填され、盛土９として突き固められる。
【００３４】
この盛土９の上面において、敷網材１４、１４に、当該盛土９の上面に新たに敷設される敷網材１４’の両端が連結具１６、１６で連結され、敷設される。このようにして、山側、谷川及び盛土上面の敷網材１４、１４、１４’で形成された袋状の敷網材内に盛土が充填されたが２段目以上の当該盛土構造体４が形成される。
【００３５】
この２段目以上の盛土構造体４の盛土９にも控え杭１７が打設され、ワイヤ１８又は鉄筋を介して２段目以上の盛土構造体４の高さの位置に対応する連結材１２に連結する。なお、補強土擁壁１は、山側に向けて傾斜するように、間伐材壁１１の傾斜角度が決められる。
【００３６】
（実施例２）
図４、５、６は、いずれも本考案に係る補強土擁壁の実施例２を説明する図であり、図４は実施例２の補強土擁壁の一部を正面側から見た斜視図であり、図５（ａ）は実施例２の補強土擁壁の断面図であり、図５（ｂ）は補強土擁壁の構築例である。図６（ａ）は正面図で、図６（ｂ）は平面図である。この実施例２に係る補強土擁壁１９は、実施例１とほぼ同じであるが、実施例１と異なる構成を中心に以下に説明する。
【００３７】
実施例２の補強土擁壁１９は、実施例１の補強土擁壁１とは間伐材壁の構成が異なる。即ち、実施例２の補強土擁壁１９では、その間伐材壁２０は、図４、図５（ｂ）、図６（ａ）に示すように、複数本の間伐材１０が、夫々が水平に配置され（横置きされ）て、しかも上下方向に互いに隣接する間伐材１０が交互に長手方向にずれて並べられ、縦方向に配置された連結材２１で固定され、互いに結合して構成される。
【００３８】
即ち、実施例２の間伐材壁２０では、上下方向に隣接した複数本の間伐材１０は、水平に配置され、交互にその長手方向の位置を食い違い状にずれて格子状に配列されている。このように交互にずれて配列され、上下方向に隣接した複数本の間伐材１０が互いに重なる部分２２に対して、連結材２１が配置され固定されている。
【００３９】
連結材２１は、断面Ｌ型の山形鋼２３を利用する。この山形鋼２３は、長手方向に一定間隔に形成された複数の孔が形成されている。間伐材１０を連結材２１で固定するには、図６（ａ）に示すように、一対の断面Ｌ型の山形鋼２３が互いに背中合わせに配置され、図５（ａ）に示すように、ボルト・ナット２４で互いに結合されて断面が⊥型になるようにする。
【００４０】
このように結合される一対の山形鋼２３は、図６（ａ）に示すように、複数本配置されるが、最下端と最上端のそれぞれにおける一対の山形鋼２３の互いに長さを異ならせることにより、長手方向に食い違いになるような構造とする。これにより、一対の山形鋼２３から成る連結材２１を継ぎ合わせて上方に伸ばすことが可能となる。
【００４１】
固定具１３として実施例１と同様にコーチスクリューを使用する。壁面材５の前面折返部７を間伐材１０と連結材２１の間に挟持した状態で、固定具１３を連結材２１の山形鋼２３の複数の孔を通して間伐材１０にねじ込んでから打ち込む。これにより、複数本の間伐材１０を互いに山形鋼２３で固定し、壁面材５の前面折返部７を壁面材５の前面折返部７との間に固定する。
【００４２】
なお、底面地盤３には壁面材５を設けたが、盛土構造体４の上面には壁面材５を設けなくてもよいから、盛土構造体４より上方では、間伐材１０は連結材２１と直接当接して固定される。又、この実施例２では斜タイ材８としてターンバックルを利用しているが、ターンバックルではなく実施例１と同様の棒材等の斜めタイ材でもよい。
【００４３】
以上、本考案に係る補強土擁壁の実施形態を実施例に基づいて説明したが、本考案は特にこのような実施例に限定されることなく、実用新案登録請求の範囲記載の技術的事項の範囲内でいろいろな実施例があることはいうまでもない。
【産業上の利用可能性】
【００４４】
本考案に係る補強土擁壁は、現地調達可能な間伐材を利用できるから、山間地等の道路擁壁、治山用の補強土擁壁、敷地造成地の擁壁、土捨て場の擁壁等多くの場所に適用可能である。
【図面の簡単な説明】
【００４５】
【図１】本考案に係る補強土擁壁の実施例１の全体構造を説明する図である。
【図２】（ａ）は実施例１の補強土擁壁の構造を説明する断面図であり、その要部拡大図を（ｂ）で示す。
【図３】（ａ）は実施例１の補強土擁壁の正面図であり、（ｂ）は平面図である。
【図４】本考案に係る補強土擁壁の実施例２の補強土擁壁の一部を斜め正面から見た斜視図である。
【図５】（ａ）は実施例２の補強土擁壁の側方から見た断面図であり、（ｂ）は補強土擁壁の構築例である。
【図６】（ａ）は正面図で、（ｂ）は平面図である。
【符号の説明】
【００４６】
１  補強土擁壁（実施例１）                 
２  背後掘削面                   
３  底面地盤                    
４  盛土構造体                  
５  壁面材                    
６  壁面材の底面部            
７  壁面材の前面折返部         
８  斜めタイ材                  
９  盛土                        
１０  間伐材            
１１  間伐材壁（実施例１）                 
１２  連結材（実施例１）           
１３  固定具                               
１４、１４’  敷網材                               
１５  植生マット                           
１６  連結具                               
１７  控え杭                               
１８  ワイヤ                               
１９  補強土擁壁（実施例２）                           
２０  間伐材壁（実施例２）                 
２１    連結材（実施例２）           
２２  間伐材が互いに重なる部分             
２３  山形鋼 
２４  ボルト・ナット                            
【図２】
0003111278.tif 000003
【図１】
0003111278.tif 000004
【図３】
0003111278.tif 000005
【図４】
0003111278.tif 000006
【図５】
0003111278.tif 000007
【図６】
0003111278.tif 000008